(57)【要約】【課題】ＡＣインレットのケースへの装着性が高められると共にガタの発生が抑えられたＡＣインレットフィルタの提供。【解決手段】電子部品１０を周方向で取り囲む枠体２とＡＣインレット３とを備え、枠体２はＡＣインレット３が装着される装着壁２１を有し、装着壁２１には一対の側縁２１Ａと底縁２１Ｂとから区画される開口部２１ａが形成され、側縁２１ＡにＡＣインレット３に係止する係止片６が設けられ、係止片６は枠体２の周方向と交差する周方向位置規制面と内外方向と交差する内外方向位置規制面とを有し、ＡＣインレット３には係止片６が挿入される溝部３ａが形成され、溝部３ａに係止片６が挿入された状態でＡＣインレット３は周方向位置規制面と内外方向位置規制面とに当接して枠体２に装着され、溝部３ａ内において少なくとも周方向位置規制面と当接するＡＣインレットフィルタ１を提供する。【選択図】図２
2009146838.tif 000002
【特許請求の範囲】
【請求項１】
電子部品を周方向で取り囲み、該周方向と交差する上下方向における一端部が開口する枠体を有するケースと、
該ケースに装着されて該電子部品と電気的に接続されるＡＣインレットとを備え、
該枠体は、ＡＣインレットが装着される装着壁を有し、
該装着壁には、該一端部側が開口し一対の側縁と底縁とから凹形状に区画される開口部が形成され、該開口部に該ＡＣインレットが装着されると共に、該上下方向に延びて該ＡＣインレットに係止する係止片が該開口部の縁部分に設けられ、
該係止片は、該周方向と交差する周方向位置規制面を少なくとも有し、
該係止片または該装着壁または該係止片と該装着壁との両方は、該装着壁の内外を結ぶ内外方向と交差する内外方向位置規制面を有し、
該ＡＣインレットには該係止片が挿入される溝部が形成され、該溝部に該係止片が挿入された状態で該ＡＣインレットは該周方向位置規制面と該内外方向位置規制面とに当接して該ケースに装着され、該溝部内において少なくとも該周方向位置規制面と当接することを特徴とするＡＣインレットフィルタ。
【請求項２】
該周方向位置規制面は、該周方向の一方側に面して該ＡＣインレットと当接する第一周方向位置規制面と、該周方向の他方側に面して該ＡＣインレットと当接する第二周方向位置規制面とから構成され、
該内外方向位置規制面は、内方向に面して該ＡＣインレットと当接する第一内外方向位置規制面と、外方向に面して該ＡＣインレットと当接する第二内外方向位置規制面とから構成され、
該係止片は、該開口部の該側縁から該内外方向における内方向に突出されて構成され、該周方向位置規制面と該内外方向位置規制面とを有していることを特徴とする請求項１に記載のＡＣインレットフィルタ。
【請求項３】
該周方向位置規制面は、該周方向の一方側に面して該ＡＣインレットと当接する第一周方向位置規制面と、該周方向の他方側に面して該ＡＣインレットと当接する第二周方向位置規制面とから構成され、
該内外方向位置規制面は、内方向に面して該ＡＣインレットと当接する第一内外方向位置規制面と、外方向に面して該ＡＣインレットと当接する第二内外方向位置規制面とから構成され、
該係止片は、該開口部の該下縁から内方向に突出した基部と該基部から上方に向けて外側縁に沿わせて延出された延出部とから構成され、該延出部は該周方向位置規制面と該第二内外方向位置規制面とを有し、
該装着壁は該第一内外方向位置規制面を有することを特徴とする請求項１に記載のＡＣインレットフィルタ。
【請求項４】
該周方向位置規制面は、該周方向の一方側に面して該ＡＣインレットと当接する第一周方向位置規制面と、該周方向の他方側に面して該ＡＣインレットと当接する第二周方向位置規制面とから構成され、
該内外方向位置規制面は、内方向に面して該ＡＣインレットと当接する第一内外方向位置規制面と、外方向に面して該ＡＣインレットと当接する第二内外方向位置規制面とから構成され、
該係止片は、該開口部の該周方向と交差する該側縁から内方向に延出されて構成され、該周方向位置規制面を有し、
該装着壁は該内外方向位置規制面を有することを特徴とする請求項１に記載のＡＣインレットフィルタ。
【請求項５】
該枠体は、一方の端縁と他方の端縁を備えた略帯状の金属板が折り曲げ加工されそれぞれの端縁が接合して構成され、それぞれの該端縁の接合箇所は、該開口部の底縁相当位置に配置され、
該係止片は、該金属板の一方の端縁近傍に位置する一方側係止片と他方の端縁近傍に位置する他方側係止片とを有し、
該周方向位置規制面は、該一方側係止片に設けられた一方側周方向位置規制面と該他方側係止片に設けられた他方側周方向位置規制面とを有し、
該ＡＣインレットフィルタは、該一方側係止片と係止する一方側溝部と該他方側係止片と係止する他方側溝部とを有し、該一方側溝部に該一方側係止片が係止され該他方側溝部に該他方側係止片が係止された状態で、該枠体の該一方の端部と該他方の端部とが分離不能に構成されていることを特徴とする請求項１から請求項４のいずれか一に記載のＡＣインレットフィルタ。
【請求項６】
該係止片は、上端位置に折り曲げられる折り曲げ片を備えていることを特徴とする請求項１から請求項５のいずれか一に記載のＡＣインレットフィルタ。
【発明の詳細な説明】
【技術分野】
【０００１】
本発明はＡＣインレットフィルタに関し、特にインレットのケースへの取り付け構造に関する。
【背景技術】
【０００２】
外部電源ラインに接続されるＡＣインレットと、外部電源ラインのノイズを遮断するノイズフィルタとを備えたＡＣインレットフィルタが公知になっている。このＡＣインレットフィルタでは、ＡＣインレットがコイルやコンデンサの電子部品が内蔵されたケースに装着されて構成されている。ＡＣインレットをケースへ装着する構成としては、特許文献１に示されるように、ＡＣインレットをケースにネジ止めする構成や、特許文献２に示されるように、ＡＣインレットにカエシとなる戻止部を設けて、この戻止部をケースに掛止して固定する構成が開示されている。
【特許文献１】実用新案登録第３１２５２６２号公報
【特許文献２】実開昭６２−８６７２３号公報
【発明の開示】
【発明が解決しようとする課題】
【０００３】
従来のネジ止めする構成においては、ケースとＡＣインレットの他に、ネジが必要になり、かつネジ止め作業が必要となる為、構成部品数が多くなると共に工数が増加し、作業性が悪化していた。また戻止部を設けた構成では、構成部品数の増加や工数の増加は発生しないが、ＡＣインレットのケースへの固定力が弱く、ガタが発生するおそれがあった。
【０００４】
よって本発明は、ＡＣインレットのケースへの装着性を高めると共にガタの発生が抑えられたＡＣインレットフィルタを提供することを目的とする。
【課題を解決するための手段】
【０００５】
上記課題を解決する為に本発明は、電子部品を周方向で取り囲み、周方向と交差する上下方向における一端部が開口する枠体を有するケースと、ケースに装着されて電子部品と電気的に接続されるＡＣインレットとを備えたＡＣインレットフィルタを提供する。このＡＣインレットフィルタにおいて、枠体は、ＡＣインレットが装着される装着壁を有し、装着壁には、一端部側が開口し一対の側縁と底縁とから凹形状に区画される開口部が形成され、開口部にＡＣインレットが装着されると共に、上下方向に延びてＡＣインレットに係止する係止片が開口部の縁部分に設けられている。係止片は、周方向と交差する周方向位置規制面を少なくとも有し、係止片または装着壁または係止片と装着壁との両方は、装着壁の内外を結ぶ内外方向と交差する内外方向位置規制面を有している。ＡＣインレットには係止片が挿入される溝部が形成され、溝部に係止片が挿入された状態でＡＣインレットは周方向位置規制面と内外方向位置規制面とに当接してケースに装着され、溝部内において少なくとも周方向位置規制面と当接する。
【０００６】
このような構成によると、ＡＣインレットがケースに装着された状態で、ＡＣインレットは、上記周方向と内外方向とにおいて常にケースと当接した状態になる。よってＡＣインレットとケースとの間にガタが発生し難くなる。またケースの上方向については開口した状態である為、ＡＣインレットをケースに容易に装着することができる。
【０００７】
上記構成のＡＣインレットフィルタにおいて、周方向位置規制面は、周方向の一方側に面してＡＣインレットと当接する第一周方向位置規制面と、周方向の他方側に面してＡＣインレットと当接する第二周方向位置規制面とから構成され、内外方向位置規制面は、内方向に面してＡＣインレットと当接する第一内外方向位置規制面と、外方向に面してＡＣインレットと当接する第二内外方向位置規制面とから構成され、係止片は、開口部の側縁から内外方向における内方向に突出されて構成され、周方向位置規制面と内外方向位置規制面とを有していてもよい。
【０００８】
このような構成によると、開口部の側縁に沿って係止片を配置することができるため、係止片の装着壁への接続箇所の剛性を高めることができる。よって係止片に着されるＡＣインレットのケースに対する剛性を増すことができる。係止片のみで少なくとも二面の位置規制面を備える為、更に装着壁にも位置規制面を構成することができ、より確実にＡＣインレットを保持することができる。また係止片は内方向に突出している為、ケース外に突出する箇所を少なくすることができる。
【０００９】
また上記構成のＡＣインレットフィルタにおいて、周方向位置規制面は、周方向の一方側に面してＡＣインレットと当接する第一周方向位置規制面と、周方向の他方側に面してＡＣインレットと当接する第二周方向位置規制面とから構成され、内外方向位置規制面は、内方向に面してＡＣインレットと当接する第一内外方向位置規制面と、外方向に面してＡＣインレットと当接する第二内外方向位置規制面とから構成され、係止片は、開口部の下縁から内方向に突出した基部と基部から上方に向けて外側縁に沿わせて延出された延出部とから構成され、延出部は周方向位置規制面と第二内外方向位置規制面とを有し、装着壁は第一内外方向位置規制面を有していてもよい。
【００１０】
このような構成によると、周方向位置規制面と内外方向位置規制面とを装着壁と係止片とに振り分けて配置している為、これら位置規制面の構成に自由度を増すことができる。よってこのケースに装着されるＡＣインレットを簡単な構造にすることができる。また係止片は内方向に突出している為、ケース外に突出する箇所を少なくすることができる。
【００１１】
また上記構成のＡＣインレットフィルタにおいて、周方向位置規制面は、周方向の一方側に面してＡＣインレットと当接する第一周方向位置規制面と、周方向の他方側に面してＡＣインレットと当接する第二周方向位置規制面とから構成され、内外方向位置規制面は、内方向に面してＡＣインレットと当接する第一内外方向位置規制面と、外方向に面してＡＣインレットと当接する第二内外方向位置規制面とから構成され、係止片は、開口部の周方向と交差する側縁から内方向に延出されて構成され、周方向位置規制面を有し、装着壁は内外方向位置規制面を有していてもよい。
【００１２】
このような構成によると、周方向位置規制面と内外方向位置規制面とを装着壁と係止片とに振り分けて配置している為、これら位置規制面の構成に自由度を増すことができる。よってこのケースに装着されるＡＣインレットを簡単な構造にすることができる。また、ＡＣインレットがケースから外部に配置される為、ケースとＡＣインレットフィルタが取り付けられる電気機器との間にＡＣインレットが配置される。ＡＣインレットが電気機器とケースとの間に位置することにより、電気機器に対してケースを絶縁することができ、フィルタ特性を良好にすることができる。
【００１３】
また枠体は、一方の端縁と他方の端縁を備えた略帯状の金属板が折り曲げ加工されそれぞれの端縁が接合して構成され、それぞれの端縁の接合箇所は、開口部の底縁相当位置に配置され、係止片は、金属板の一方の端縁近傍に位置する一方側係止片と他方の端縁近傍に位置する他方側係止片とを有し、周方向位置規制面は、一方側係止片に設けられた一方側周方向位置規制面と他方側係止片に設けられた他方側周方向位置規制面とを有し、ＡＣインレットフィルタは、一方側係止片と係止する一方側溝部と他方側係止片と係止する他方側溝部とを有し、一方側溝部に一方側係止片が係止され他方側溝部に他方側係止片が係止された状態で、枠体の一方の端部と他方の端部とが分離不能に構成されていることが好ましい。
【００１４】
このような構成によると、ＡＣインレットを装着することにより、枠体の両端縁部分の拡開を抑制することができる。
【００１５】
また係止片は、上端位置に折り曲げられる折り曲げ片を備えていることが好ましい。このような構成によると、開口部に装着されたＡＣインレットの抜けを抑制することができる。
【発明の効果】
【００１６】
本発明のＡＣインレットフィルタによれば、ＡＣインレットのケースへの装着性を高めると共にガタの発生が抑えられる。
【発明を実施するための最良の形態】
【００１７】
以下、本発明の第一の実施の形態に係るＡＣインレットフィルタを、図１から図３に基づいて説明する。図１に示されるＡＣインレットフィルタ１は、例えばプラズマテレビ等の図示せぬ電気機器に設けられ、電源コードの一端が接続される後述のＡＣインレット３を備えて構成される電子機器である。ＡＣインレットフィルタ１は、図２に示されるように、枠体２と、ＡＣインレット３と、底板４と、上板５とコイル部品１０とから、主に構成されている。
【００１８】
枠体２はケースを構成し、一方の端縁２Ａと他方の端縁２Ｂを備えた略帯状の金属板が折り曲げ加工され、装着壁２１と、装着壁２１に連なる一対の側壁２２，２２と、側壁２２，２２の間に位置し装着壁２１に対向する対向壁２３とから略長方形を成し、端縁２Ａ、２Ｂが装着壁２１部分で接合して構成されている。これら装着壁２１〜側壁２２〜対向壁２３が連なる方向を周方向と定義する。また装着壁２１において、枠体２内部と枠体２外部とを結ぶ方向を内外方向と定義する。また底板４と上板５とを結ぶ方向を上下方向と定義する。
【００１９】
装着壁２１には、ＡＣインレット３の装着箇所として、上側が開口し一対の側縁２１Ａ、２１Ａと底縁２１Ｂとから凹形状に区画される開口部２１ａが形成されている。端縁２Ａ、２Ｂの接合箇所は、開口部２１ａの底縁２１Ｂ相当位置であって一方の側縁２１Ａと他方の側縁２１Ａとの間の略中間に配置されている。一対の側縁２１Ａ、２１Ａには、それぞれ上下方向に延びてＡＣインレットに係止する一方側の係止片６と他方側の係止片６とが設けられている。係止片６，６は何れも対称な形状である為、片方のみ説明する。
【００２０】
図３に示されるように、係止片６は、側縁２１Ａから装着壁２１の内部へ向けて突出しており、クランク状に折り曲げられて構成されている。クランク状に折り曲げられることにより係止片６の表面に、周方向の一方側に面する第一周方向位置規制面６１Ａと、周方向の他方側に面する第二周方向位置規制面６１Ｂと、内方向に面する第一内外方向位置規制面６２Ａと、外方向に面する第二内外方向位置規制面６２Ｂとが構成される。また図１及び図３に示されるように、係止片６の上方端部には、上方へ向けて突出する折曲片６３が設けられている。また一方側の係止片６からは、後述のアース端子３Ｂと接続されるアース片６４が内方向に向けて延出されている。
【００２１】
また装着壁２１には、ＡＣインレットフィルタ１を図示せぬ電気機器に装着する際のねじ穴２ａ、２ａが穿設されている。
【００２２】
側壁２２，２２の上縁及び下縁には、それぞれ底板４及び上板５をカシメて固定する複数のカシメ片２２Ａが設けられている。対向壁２３には、コイル部品１０に接続されると共に、図示せぬ電気機器内の他の部品に接続されるケース端子２３Ａが設けられている。
【００２３】
ＡＣインレット３は、絶縁性の樹脂を基材とし、図示せぬ電源コード等のＡＣアウトレットが接続される接続口３１ａが形成される胴部３１と、胴部３１から周方向の一方側と他方側とに延出される一対の鍔部３２，３２とから主に構成されている。胴部３１には、インレット端子３Ａ及びアース端子３Ｂが埋設してあり、インレット端子３Ａ及びアース端子３Ｂは、一端が接続口３１ａ内に突出して図示せぬＡＣアウトレットと接続され、他端が枠体２内に突出してコイル部品１０に接続される。一対の鍔部３２，３２は略同形状を成している為、片方のみ説明する。鍔部３２は、装着壁２１の内面に当接可能に構成され、装着壁２１に当接した状態でねじ穴２ａと連通するねじ穴３２ａが形成されている。胴部３１と一対の鍔部３２，３２との間には、それぞれ係止片６，６が挿入される溝部３ａ，３ａが形成されている。この溝部３ａは、図３に示されるように、係止片６の形状と同形状のクランク状に形成され、係止片６が溝部３ａ内に挿入された状態で、溝部３ａの内面が第一周方向位置規制面６１Ａと第二周方向位置規制面６１Ｂと第一内外方向位置規制面６２Ａと第二内外方向位置規制面６２Ｂとにそれぞれ当接するように構成されている。よって、ＡＣインレット３が枠体２に装着された状態で、ＡＣインレット３は、上記周方向と内外方向とにおいて常に枠体２と当接した状態になり、ＡＣインレット３と枠体２との間にガタが発生し難くなる。また枠体２の開口部２１ａは、上方向が開口した状態である為、ＡＣインレット３を枠体２の開口部２１ａに容易に装着することができる。溝部３ａに係止片６を挿入してＡＣインレット３を開口部２１ａに装着した状態で、折曲片６３を折り曲げることにより、ＡＣインレット３が開口部２１ａから脱落することを抑制している。
【００２４】
またＡＣインレット３の一対の溝部３ａ、３ａにそれぞれ一対の係止片６，６が挿入される為、一方の係止片６と他方の係止片６とがＡＣインレット３を介して連結された状態になる。装着壁２１において、一方の係止片６が設けられた一方の側縁２１Ａは端縁２Ａ側に位置し、他方の係止片６が設けられた他方の側縁２１Ａは端縁２Ｂ側に位置する為、ＡＣインレット３で一方の係止片６と他方の係止片６とが連結されることにより、枠体２の両端縁２Ａ、２Ｂ部分の拡開を抑制することができる。
【００２５】
底板４は、枠体２と同様の金属板が折り曲げ加工されて構成され、枠体２にカシメ片２２Ａにより接続されて枠体２の下端を閉止している。
【００２６】
コイル部品１０は、フェライト等の磁性体にボビンを介して導線が巻回されて構成されており、枠体２内において、底板４上に絶縁体を介して配置され、インレット端子３Ａとケース端子２３Ａとに接続されている。
【００２７】
上板５は、枠体２と同様の金属板が折り曲げ加工されて構成され、枠体２にカシメ片２２Ａにより接続され、コイル部品１０を内蔵した状態で枠体２の上端を閉止している。
【００２８】
上記構成のＡＣインレットフィルタ１によれば、ＡＣインレット３の枠体２への装着性を高めると共に、ＡＣインレットと枠体２との間のガタの発生が抑えられる。
【００２９】
次に本発明に係るＡＣインレットフィルタの第二の実施の形態について図４及び図５に基づいて説明する。第二の実施の形態に係るＡＣインレットフィルタ１０１は、主な構成において第一の実施の形態に係るＡＣインレットフィルタ１と同じである為、主な変更箇所のみ説明して、略同じ箇所については、ＡＣインレットフィルタ１の符号に１００を加えて説明を省略する。
【００３０】
図４に示されるように、ＡＣインレットフィルタ１０１の装着壁１２１においては、開口部１２１ａの底縁１２１Ｂ部分に係止片１０６が設けられている。係止片１０６は、底縁１２１Ｂから内方向に突出した基部１０６Ａと、基部１０６の周方向両端部から上方に向けて一方の側縁１２１Ａと他方の側縁１２１Ａとに沿わせて延出された一対の延出部１０６Ｂ、１０６Ｂとから構成されている。一対の延出部１０６Ｂ、１０６Ｂについては、同形状である為、一方のみ説明する。延出部１０６Ｂは、図５に示されるように上下方向と略直交する面において略Ｌ字形状に構成され、周方向の一方側に面する第一周方向位置規制面１６１Ａ及び周方向の他方側に面する第二周方向位置規制面１６１Ｂと、外方向である装着壁１２１側に面する第二内外方向位置規制面１６２Ｂとを備えている。また装着壁１２１において、延出部１０６Ｂと対峙する箇所に内方側に面する第一内外方向位置規制面１６２Ａが規定されている。また基部１０６Ａの略中央部分から、アース端子１０３Ｂに接続されるアース片１６４が延出されている。
【００３１】
図４に示されるように、ＡＣインレット１０３は、胴部１３１と、胴部１３１から周方向の一方側と他方側とに延出される一対の鍔部１３２，１３２と、一対の溝形成部１３３，１３３とから主に構成されている。鍔部１３２は、略板状を成しており、枠体１０２のねじ穴１０２ａと連通するネジ穴３２ａが穿設されている。溝形成部１３３は胴部１３１の側面から延出されており、一対の鍔部１３２，１３２に対して内方側に位置して、胴部１３１と鍔部１３２と協働して溝部１０３ａ、１０３ａを画成している。溝部１０３ａを画成する内面は、第一周方向位置規制面１６１Ａ及び第二周方向位置規制面１６１Ｂに当接するように構成されている。
【００３２】
図５に示されるように、鍔部１３２が延出部１０６Ｂ（第二内外方向位置規制面１６２Ｂ）と装着壁１２１（第一内外方向位置規制面１６２Ａ）との間に位置し、溝部１０３ａ内に延出部１０６Ｂが挿入されるように、ＡＣインレット１０３を、開口部１２１ａ（図４）に装着する。この状態において、鍔部１３２が第一内外方向位置規制面１６２Ａと第二内外方向位置規制面１６２Ｂとに当接し、溝部１０３ａ内面が第一周方向位置規制面１６１Ａ及び第二周方向位置規制面１６１Ｂに当接している為、ＡＣインレット１０３と枠体１０２との間にガタが発生し難くなる。
【００３３】
第二の実施の形態体に係るＡＣインレットフィルタ１０１の構成によると、周方向位置規制面１６１Ａ，１６１Ｂ、内外方向位置規制面１６２Ａ，１６２Ｂを装着壁１２１と係止片１０６とに振り分けて配置している為、これら位置規制面１６１Ａ〜１６２Ｂの構成に自由度を増すことができる。よって枠体１０２に装着されるＡＣインレット１０３を簡単な構造にすることができる。また係止片１０６は装着壁１２１の内方向に突出している為、枠体１０２外に突出する箇所を少なくすることができる。尚、第一の実施の形態にかかるＡＣインレットフィルタ１と第二の実施の形態に係るＡＣインレットフィルタ１０１においては、枠体にそれぞれアース片が設けられており、底板には設けられていない為、必ずしも枠体と底板とが電気的に接続されている必要はない。
【００３４】
次に本発明に係るＡＣインレットフィルタの第三の実施の形態について図６及び図７に基づき説明する。第三の実施の形態に係るＡＣインレットフィルタ２０１は、主な構成において第二の実施の形態に係るＡＣインレットフィルタ１０１と同じである為、主な変更箇所のみ説明して、略同じ箇所については、ＡＣインレットフィルタ１０１の符号に１００を加えて説明を省略する。
【００３５】
図６に示されるように、ＡＣインレットフィルタ２０１の装着壁２２１においては、開口部２２１ａの一対の側縁２２１Ａ、２２１Ａ部分に一対の係止片２０６、２０６が設けられている。一対の係止片２０６、２０６については、同形状である為、一方のみ説明する。係止片２０６は、図７に示されるように上下方向と略直交する面において装着壁２２１と協働して略Ｌ字形状に構成され、周方向の一方側に面する第一周方向位置規制面２６１Ａ及び周方向の他方側に面する第二周方向位置規制面２６１Ｂとを備えている。また装着壁２２１の側縁２２１Ａ近傍位置の内面側に第一内外方向位置規制面２６２Ａが規定され、側縁２２１Ａ近傍位置の外面側に第二内外方向位置規制面２６２Ｂが規定されている。
【００３６】
図６に示されるように、ＡＣインレット２０３は、胴部２３１と、胴部２３１から周方向の一方側と他方側とに延出される一対の鍔部２３２，２３２と、一対の溝形成部２３３，２３３とから主に構成されている。鍔部２３２は、略板状を成しており、枠体２０２のねじ穴１０２ａと連通するネジ穴２３２ａが穿設されている。溝形成部２３３は胴部２３１の側面から延出されており、一対の鍔部２３２，２３２に対して内方側に位置して、胴部２３１及び鍔部２３２と協働して溝部２０３ａ、２０３ａを画成している。溝部２０３ａにおいては、溝形成部２３３と胴部２３１とから画成されて内外方向に延びる第一溝部２０３ｂと溝形成部２３３と鍔部２３２とから画成されて周方向に延びる第二溝部２０３ｃとを有している。第一溝部２０３ｂは、内面が第一周方向位置規制面２６１Ａ及び第二周方向位置規制面２６１Ｂに当接するように構成されている。第二溝部２０３ｃは、内面が第一内外方向位置規制面２６２Ａ及び第二内外方向位置規制面２６２Ｂに当接するように構成されている。また図６に示されるように、下板２０４からアース端子２０３Ｂに接続されるアース片２４１が延出されている。
【００３７】
図７に示されるように、第一溝部２０３ｂに係止片２０６が挿入され、第二溝部２０３ｃに装着壁２２１が挿入されるように、ＡＣインレット２０３を開口部２２１ａ（図６）に装着する。この状態において、第一溝部２０３ｂ内面が第一周方向位置規制面２６１Ａ及び第二周方向位置規制面２６１Ｂに当接し、第二溝部２０３ｃ内面において第一内外方向位置規制面２６２Ａ及び第二内外方向位置規制面２６２Ｂに当接している為、ＡＣインレット２０３と枠体２０２との間にガタが発生し難くなる。
【００３８】
第三の実施の形態体に係るＡＣインレットフィルタ２０１の構成によると、周方向位置規制面２６１Ａ，２６１Ｂと内外方向位置規制面２６２Ａ，２６２Ｂとを係止片２０６と装着壁２２１とに振り分けて配置している為、これら位置規制面２６１Ａ〜２６２Ｂの構成に自由度を増すことができる。よって枠体２０２に装着されるＡＣインレット２０３を簡単な構造にすることができる。また、ＡＣインレット２０３の鍔部２３２が枠体２０２の外部に配置される為、枠体２とＡＣインレットフィルタ２０１が取り付けられる図示せぬ電気機器との間にＡＣインレット２０３の鍔部２３２が配置される。絶縁体の鍔部２３２が図示せぬ電気機器と枠体２０２との間に位置することにより、電気機器に対してＡＣインレットフィルタ２０１を絶縁することができる。
【図面の簡単な説明】
【００３９】
【図１】本発明の第一の実施の形態に係るＡＣインレットフィルタの斜視図。
【図２】本発明の第一の実施の形態に係るＡＣインレットフィルタの分解斜視図。
【図３】本発明の第一の実施の形態に係るＡＣインレットフィルタのＡＣインレット周辺を示す平面図。
【図４】本発明の第二の実施の形態に係るＡＣインレットフィルタの分解斜視図。
【図５】本発明の第二の実施の形態に係るＡＣインレットフィルタのＡＣインレット周辺を示す平面図。
【図６】本発明の第三の実施の形態に係るＡＣインレットフィルタの分解斜視図。
【図７】本発明の第三の実施の形態に係るＡＣインレットフィルタのＡＣインレット周辺を示す平面図。
【符号の説明】
【００４０】
１・・ＡＣインレットフィルタ  ２・・枠体  ２Ａ・・端縁  ２Ｂ・・端縁
２ａ・・ねじ穴  ３・・ＡＣインレット  ３Ａ・・インレット端子  ３Ｂ・・アース端子
３・・コイル部品  ３ａ・・溝部  ４・・底板  ５・・上板  ６・・係止片
１０・・コイル部品  ２１・・装着壁  ２１Ａ・・側縁  ２１Ｂ・・底縁
２１ａ・・開口部  ２２・・側壁  ２２Ａ・・カシメ片  ２３・・対向壁
２３Ａ・・ケース端子  ３１・・胴部  ３１ａ・・接続口  ３２・・鍔部
３２ａ・・ネジ穴  ６１Ａ・・第一周方向位置規制面  ６１Ｂ・・第二周方向位置規制面
６２Ａ・・第一内外方向位置規制面  ６２Ｂ・・第二内外方向位置規制面
６３・・折曲片  ６４・・アース片
【図１】
2009146838.tif 000003
【図２】
2009146838.tif 000004
【図３】
2009146838.tif 000005
【図４】
2009146838.tif 000006
【図５】
2009146838.tif 000007
【図６】
2009146838.tif 000008
【図７】
2009146838.tif 000009